(57)【要約】  簡易な構成により、複数のシャッタを閉塞した状態に維持し得るようにする。紙幣出金機（１）のリジェクト収納庫（１９）は、第１シャッタ部（３５）が第１閉塞状態である場合に、第２シャッタ部（３６）が第２閉塞状態であれば、第２係合爪（５４）を第１係合爪（４８）に係合させることにより、当該第１シャッタ部（３５）を第１閉塞状態に維持する第１ロック状態とすることができる。このためリジェクト収納庫（１９）は、第１シャッタ部（３５）に専用のロック機構を設ける必要が無く、第２シャッタ部（３６）の閉塞又は開放に応じて、当該第１シャッタ部（３５）を第１閉塞状態に維持し、或いは第１閉塞状態から第１開放状態への遷移を許容することができる。
2017104003.tif 000002
【特許請求の範囲】
【請求項１】
媒体を収納する収納空間を内部に有する筐体と、  前記筐体の第１面に形成され、前記収納空間と外部の空間とを連通させる第１孔部と、  前記筐体における第２面に形成され、前記収納空間と外部の空間とを連通させる第２孔部と、  前記第１孔部を開放した第１開放状態又は当該第１孔部を閉塞した第１閉塞状態に遷移する第１シャッタと、  前記第２孔部を開放した第２開放状態又は当該第２孔部を閉塞した第２閉塞状態に遷移し、当該第２閉塞状態において、前記第１シャッタを前記第１閉塞状態に維持する第２シャッタと  を具える媒体収納装置。
【請求項２】
所定の開閉体により、前記第２シャッタを前記第２閉塞状態に維持するロック状態と、前記第２シャッタにおける前記第２閉塞状態から前記第２開放状態への遷移を許容するロック解除状態とに切り替わるロック部をさらに具える、請求項１に記載の媒体収納装置。
【請求項３】
前記媒体収納装置は、前記開閉体が設けられた装填筐体に装填され、又は当該装填筐体から取り外され、  前記ロック部は、前記媒体収納装置が前記装填筐体に装填される場合に前記開閉体により前記ロック解除状態に切り替わり、前記媒体収納装置が前記装填筐体から取り外される場合に前記開閉体により前記ロック状態に切り替わる、請求項２に記載の媒体収納装置。
【請求項４】
前記装填筐体は、前記媒体収納装置が装填される装填空間を有し、  前記媒体収納装置は、前記装填筐体の前記装填空間に対し所定の装填方向に沿って挿入されることにより装填され、当該装填空間から前記装填方向と反対の離脱方向に沿って引き出されることにより取り外され、  前記第２シャッタは、前記筐体に対し前記装填方向又は前記離脱方向へ移動することにより前記第２開放状態又は前記第２閉塞状態に遷移する、請求項３に記載の媒体収納装置。
【請求項５】
前記第１孔部は、前記筐体における前記装填方向側に形成され、  前記第１シャッタは、前記筐体の外部に突出するポストを有すると共に、前記媒体収納装置が前記第１閉塞状態及び前記第２閉塞状態で前記装填筐体に装填される場合、前記開閉体により前記ロック部が前記ロック解除状態に切り替わり、前記第２シャッタによる当該第１シャッタの前記第１閉塞状態への維持が解除された後に、前記装填筐体に設けられた開放ガイド体から前記ポストが力を受けることにより、前記第１開放状態へ遷移する、請求項４に記載の媒体収納装置。
【請求項６】
前記第１孔部は、前記筐体における前記装填方向側に形成され、  前記第１シャッタは、前記筐体の外部に突出するポストを有すると共に、前記媒体収納装置が前記第１開放状態及び前記第２開放状態で前記装填筐体から取り外される場合、前記開閉体により前記ロック部が前記ロック状態に切り替わる前に、前記装填筐体に設けられた閉塞ガイド体から前記ポストが力を受けることにより、前記第１閉塞状態へ遷移する、請求項４に記載の媒体収納装置。
【請求項７】
前記第２孔部は、前記筐体において前記第１面と互いの法線を交差させる前記第２面に形成されている、請求項１に記載の媒体収納装置。
【請求項８】
前記第１シャッタは、所定の第１方向又はその反対方向へスライドして前記第１閉塞状態又は前記第１開放状態に遷移すると共に、前記第２シャッタと係合する第１係合子を有し、  前記第２シャッタは、前記第１方向と交差する第２方向又はその反対方向へスライドして前記第２閉塞状態又は前記第２開放状態に遷移すると共に、前記第１シャッタと係合する第２係合子を有し、前記第２閉塞状態において当該第２係合子を前記第１係合子に係合させることにより、前記第１シャッタを前記第１閉塞状態に維持する、請求項７に記載の媒体収納装置。
【請求項９】
前記筐体は、前記収納空間が内部に形成された収納体と、当該収納空間を開放した収納開放状態又は当該収納空間を閉塞した収納閉塞状態に遷移する蓋体とを具え、  前記第１孔部及び前記第１シャッタは、前記収納体に設けられ、  前記第２孔部及び前記第２シャッタは、前記蓋体に設けられ、当該蓋体が前記収納閉塞状態である場合に前記第２閉塞状態であれば、前記第１シャッタを前記第１閉塞状態に維持し、当該第２閉塞状態において当該蓋体が収納開放状態に遷移された場合に、前記第１シャッタの前記第１閉塞状態への維持を解除する、請求項１に記載の媒体収納装置。
【請求項１０】
前記収納空間は、前記第１孔部を介して取り込まれた媒体を収納する第１収納空間と、当該第１収納空間から区切られ、前記第２孔部を介して取り込まれた媒体を収納する第２収納空間とを有する、請求項１に記載の媒体収納装置。
【請求項１１】
前記第２シャッタを閉塞する方向に付勢する第２付勢体をさらに具える、請求項１に記載の媒体収納装置。
【請求項１２】
紙葉状の媒体を搬送する搬送部と、  前記媒体が所定の条件を満たすか否かを鑑別する鑑別部と、  前記条件を満たす前記媒体を集積して媒体束とする集積部と、  前記媒体束を搬送して所定の引渡部から利用者に引き渡す束搬送部と、  所定の装填筐体に対し装填又は離脱可能に構成され、当該装填筐体に装填された状態において、前記媒体のうち前記条件を満たさないリジェクト媒体を収納すると共に、前記引渡部において前記利用者が引き取らなかった前記媒体束を収納するリジェクト収納庫と、  を具え、前記リジェクト収納庫は、  前記媒体を収納する収納空間を内部に有する筐体と、  前記筐体の第１面に形成され、前記装填筐体に装填された状態において前記収納空間と前記搬送部とを連通させる第１孔部と、  前記筐体における第２面に形成され、前記装填筐体に装填された状態において前記収納空間と前記束搬送部とを連通させる第２孔部と、  前記第１孔部を開放した第１開放状態又は当該第１孔部を閉塞した第１閉塞状態に遷移する第１シャッタと、  前記第２孔部を開放した第２開放状態又は当該第２孔部を閉塞した第２閉塞状態に遷移し、当該第２閉塞状態において、前記第１シャッタを前記第１閉塞状態に維持する第２シャッタと  を具える媒体処理装置。
【発明の詳細な説明】
【技術分野】
【０００１】  本発明は媒体収納装置及び媒体処理装置に関し、例えば媒体としての紙幣を出金する紙幣出金機に適用して好適なものである。
【背景技術】
【０００２】  従来、金融機関等で使用される紙幣出金機おいては、利用者（例えば金融機関の顧客）からの要求に応じて紙幣や硬貨等の現金を出金するものが広く普及している。紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、利用者に紙幣束を引き渡す出金口とを有するものがある。【０００３】  また紙幣出金機のなかには、利用者が出金口から紙幣束を取り忘れた場合に、当該利用者に取り忘れられた紙幣束（以下、各紙幣を取忘紙幣とも呼ぶ）が他の利用者に持ち去られることを防止する観点から、内部に取り込み、専用の取忘収納庫に収納するものも提案されている。さらに紙幣出金機においては、リジェクト紙幣や取忘紙幣を回収する作業の効率を高める観点から、装置本体に対し着脱可能としたリジェクトカセットを設け、このリジェクトカセット内に互いに独立したリジェクト紙幣収納部及び取忘紙幣収納部を内蔵したものも提案されている（例えば、特開平６−９６３３１号公報（第１図）参照）。
【発明の概要】
【発明が解決しようとする課題】
【０００４】  上述した紙幣出金機のリジェクトカセットは、装置本体側からリジェクト紙幣収納部へ紙幣を取り込む取込口と、装置本体側から取忘紙幣を取忘紙幣収納部へ取り込む取込口とを有している。またリジェクトカセットのなかには、セキュリティを確保する目的から、各取込口をそれぞれ開放又は閉塞するシャッタと、各シャッタを閉塞した状態にロックするロック機構とが設けられたものがある。このようなリジェクトカセットは、シャッタをロックするロック機構が組み込まれることにより、装置本体から取り外された場合には、２箇所の取込口を何れも閉塞した状態にロックし、装置本体に装着された場合には、このロックを解除して２箇所の取込口を何れも開放可能とすることが望ましい。【０００５】  ところでリジェクトカセットは、例えば特開平６−９６３３１号公報のように、２箇所の取込口が同一の側面に並んで配置される場合、シャッタ及びロック機構を何れも１個にまとめることにより、その構造を簡素化することが可能となる。しかしながらリジェクトカセットは、装置本体の構成等に応じて、２箇所の取込口が互いに異なる側面、例えば上側面及び前側面にそれぞれ形成される場合がある。このような場合、リジェクトカセットは、取込口ごとにシャッタ及びロック機構を設ける必要が生じるために、その構成が複雑化してしまう、という問題があった。【０００６】  本発明は以上の点を考慮してなされたもので、簡易な構成により、複数のシャッタを閉塞した状態に維持し得る媒体収納装置及び媒体処理装置を提案しようとするものである。
【課題を解決するための手段】
【０００７】  かかる課題を解決するため本発明の第一態様の媒体収納装置においては、媒体を収納する収納空間を内部に有する筐体と、筐体の第1面に形成され、収納空間と外部の空間とを連通させる第１孔部と、筐体における第１孔部と異なる第2面に形成され、収納空間と外部の空間とを連通させる第２孔部と、第１孔部を開放した第１開放状態又は当該第１孔部を閉塞した第１閉塞状態に遷移する第１シャッタと、第２孔部を開放した第２開放状態又は当該第２孔部を閉塞した第２閉塞状態に遷移し、当該第２閉塞状態において、第１シャッタを第１閉塞状態に維持する第２シャッタとを設けるようにした。【０００８】  また本発明の第２態様の媒体処理装置においては、紙葉状の媒体を搬送する搬送部と、媒体が所定の条件を満たすか否かを鑑別する鑑別部と、条件を満たす媒体を集積して媒体束とする集積部と、媒体束を搬送して所定の引渡部から利用者に引き渡す束搬送部と、所定の装填筐体に対し装填又は離脱可能に構成され、当該装填筐体に装填された状態において、媒体のうち条件を満たさないリジェクト媒体を収納すると共に、引渡部において利用者が引き取らなかった媒体束を収納するリジェクト収納庫とを設ける。当該リジェクト収納庫は、媒体を収納する収納空間を内部に有する筐体と、筐体の第1面に形成され、装填筐体に装填された状態において収納空間と搬送部とを連通させる第１孔部と、筐体における第2面に形成され、装填筐体に装填された状態において収納空間と束搬送部とを連通させる第２孔部と、第１孔部を開放した第１開放状態又は当該第１孔部を閉塞した第１閉塞状態に遷移する第１シャッタと、第２孔部を開放した第２開放状態又は当該第２孔部を閉塞した第２閉塞状態に遷移し、当該第２閉塞状態において、第１シャッタを第１閉塞状態に維持する第２シャッタとを設けるようにした。【０００９】  これにより、第１シャッタを第１閉塞状態とした場合に、第２シャッタを第２閉塞状態とするだけで、当該第１シャッタを当該第１閉塞状態に維持でき、また当該第２シャッタを第２開放状態とするだけで、当該第１シャッタを第１開放状態に遷移させることができる。
【発明の効果】
【００１０】  本発明によれば、簡易な構成により、複数のシャッタを閉塞した状態に維持し得る媒体収納装置及び媒体処理装置を実現できる。
【図面の簡単な説明】
【００１１】
【図１】紙幣出金機の構成を示す略線図である。
【図２Ａ】装填筐体の構成を示す略線的斜視図である。
【図２Ｂ】リジェクト収納庫の構成を示す略線的斜視図である。
【図３Ａ】リジェクト収納庫の構成を示す略線図である。
【図３Ｂ】リジェクト収納庫の構成を示す略線図である。
【図４】第１シャッタ部及び第２シャッタ部の構成を示す略線的斜視図である。
【図５】左ロック部の構成を示す略線的斜視図である。
【図６Ａ】左ロック部における左ロック解除状態を示す略線図である。
【図６Ｂ】左ロック部における左ロック状態を示す略線図である。
【図７】右ロック部の構成を示す略線的斜視図である。
【図８Ａ】左開閉ガイド部の構成を示す略線的斜視図である。
【図８Ｂ】右開閉ガイド部の構成を示す略線的斜視図である。
【図９】リジェクト収納庫の装填動作及び取外動作を示す略線図である。
【図１０】リジェクト収納庫の装填動作及び取外動作を示す略線図である。
【図１１】リジェクト収納庫の装填動作及び取外動作を示す略線図である。
【図１２】リジェクト収納庫の装填動作及び取外動作を示す略線図である。
【図１３】リジェクト収納庫の装填動作及び取外動作を示す略線図である。
【図１４】リジェクト収納庫の装填動作及び取外動作を示す略線図である。
【図１５Ａ】他の実施の形態によるリジェクト収納庫の構成を示す略線図である。
【図１５Ｂ】他の実施の形態によるリジェクト収納庫の構成を示す略線図である。
【図１６Ａ】他の実施の形態によるリジェクト収納庫の構成を示す略線図である。
【図１６Ｂ】他の実施の形態によるリジェクト収納庫の構成を示す略線図である。
【発明を実施するための形態】
【００１２】  以下、発明を実施するための形態（以下実施の形態とする）について、図面を用いて説明する。
【００１３】［１．紙幣出金機の構成］  図１に模式的な側面図を示すように、紙幣出金機１は、いわゆるキャッシュディスペンサとなっており、例えば金融機関や各種商業施設等に設置され、利用者（すなわち金融機関や商業施設の顧客等）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００１４】  制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１５】  以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００１６】［１−１．収納ユニットの構成］  収納ユニット２は、直方体状の収納筐体１０内に、紙幣に関する種々の処理を行う複数の部分が組み込まれている。この収納筐体１０内には、４個の紙幣収納庫１１、搬送部１３、鑑別部１４、切替部１５及び集積部１６、並びに装填筐体１８にリジェクト収納庫１９が装脱されるリジェクト装填機構１７が設けられている。
【００１７】  紙幣収納庫１１は、それぞれ予め定められた金種の紙幣を収納する。搬送部１３は、図示しないローラやベルト、或いはこれらを駆動するモータ等により、紙幣を搬送する経路である搬送路を構成している。鑑別部１４は、内部に厚みセンサやイメージセンサといった複数種類のセンサが組み込まれており、各センサから得られた情報を基に、搬送される紙幣の金種や走行状態等を鑑別し、その鑑別結果を制御部４へ供給する。制御部４は、得られた鑑別結果を基に、各紙幣の搬送先を決定する。
【００１８】  切替部１５は、制御部４の制御に基づき、紙幣に当接して進行方向を変化させるブレード（図中三角形で示す）の傾斜角度を変更することにより、紙幣の搬送経路を切り替える。集積部１６は、切替部１５から搬送されてきた紙幣を集積空間１６Ｓ内へ放出し、ステージ１６Ｔ上に束状に集積させていく。このため以下では、このように積み重ねられた紙幣を紙幣束Ｗとも呼ぶ。
【００１９】  一方、収納筐体１０における最も上側の後側には、リジェクト装填機構１７が設けられている。このリジェクト装填機構１７は、収納筐体１０に取り付けられた装填筐体１８と、当該装填筐体１８に対し着脱可能に構成されたリジェクト収納庫１９とにより構成されている。
【００２０】  装填筐体１８は、図２Ａに示すように、全体として中空の直方体状に構成されており、後面が開放されている。リジェクト収納庫１９は、図２Ｂに示すように、全体として直方体状に構成されている。このためリジェクト装填機構１７は、装填筐体１８に対し、リジェクト収納庫１９をいわゆる引出のように前後方向へ移動させることにより、装填又は離脱させ得るようになっている。具体的にリジェクト収納庫１９は、装填筐体１８に対し、後側に位置した状態から前方へ押し込まれることによりその内部に装填され（図１）、また装填された状態から後方へ引き出されることにより離脱される。
【００２１】  またリジェクト収納庫１９は、前面の上寄りに第１取込孔１９Ｈ１が設けられると共に、上面のやや前寄りに第２取込孔１９Ｈ２が設けられている。さらにリジェクト収納庫１９の内部には、図３Ａ及び図３Ｂに示すように、第１取込孔１９Ｈ１に連通する第１収納空間１９Ｓ１と、第２取込孔１９Ｈ２に連通する第２収納空間１９Ｓ２とが、互いに独立した空間としてそれぞれ形成されている。
【００２２】  このためリジェクト収納庫１９は、切替部１５から搬送されてくるリジェクト紙幣（制御部４により出金すべきでないと判断された紙幣）を第１取込孔１９Ｈ１から取り込んで第１収納空間１９Ｓ１内に収納することができる。またリジェクト収納庫１９は、上方に位置する束搬送ユニット３から紙幣束Ｗが落下してきた場合、この紙幣束Ｗを第２取込孔１９Ｈ２から取り込んで第２収納空間１９Ｓ２内に収納することができる。
【００２３】［１−２．束搬送ユニットの構成］  束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、紙幣束Ｗを搬送するときに当該紙幣束Ｗが通過する経路である束搬送路３Ｙを形成している。また束搬送筐体２０の前端、すなわち束搬送路３Ｙの前端には、紙幣束Ｗを利用者に引き渡す出金口２６が形成されている。
【００２４】  束搬送筐体２０内における上側部分には、無端ベルトでなる上搬送ベルト２１が設けられている。束搬送筐体２０内における上搬送ベルト２１の下側部分、すなわち束搬送路３Ｙを挟んで上搬送ベルト２１の反対側には、挟持搬送ガイド２２及び下搬送ベルト２４が設けられている。挟持搬送ガイド２２は、上下方向に薄い板状に形成されており、その上面を上搬送ベルト２１の下面と対向ないし当接させている。この挟持搬送ガイド２２は、図示しない移動機構によって前後方向へ移動することにより、集積孔１６Ｈ又は第２取込孔１９Ｈ２の何れか一方を開放して束搬送路３Ｙと連通させる。
【００２５】  下搬送ベルト２４は、上搬送ベルト２１を前後方向に短縮したような構成となっている。この下搬送ベルト２４における上面部分は、挟持搬送ガイド２２の上面と同等の高さに揃えられ、上搬送ベルト２１の下面と同様に前後方向へ走行する。
【００２６】  集積部１６のステージ１６Ｔは、挟持搬送ガイド２２が後方へ移動された状態において上方へ移動されることにより、その上面の高さを挟持搬送ガイド２２とほぼ同等に揃え、束搬送路３Ｙの一部を形成する。ラッセル部２５は、挟持搬送ガイド２２、下搬送ベルト２４及びステージ１６Ｔの上面に沿って、紙幣束Ｗを押すことにより前後方向へ移動させる。これにより紙幣束Ｗは、各紙幣の短辺を前後方向に沿わせた姿勢で、束搬送路３Ｙに沿って前後方向へ進行することができる。
【００２７】［１−３．出金動作及び取込動作］  次に、紙幣出金機１における出金動作及び取込動作について説明する。紙幣出金機１は、出金動作を行う場合、図示しない操作部を介して利用者から出金の指示及び出金額を受け付ける。これに応じて各紙幣収納庫１１は、この出金額に応じた金種及び枚数の紙幣を１枚ずつ繰り出し、搬送部１３に引き渡す。搬送部１３は、各紙幣を上方へ搬送し、鑑別部１４により鑑別させ、得られた鑑別結果を制御部４に供給させる。
【００２８】  制御部４において鑑別結果を基に正常と判断された紙幣は、切替部１５により集積部１６へ搬送され、ステージ１６Ｔ上に集積される。また制御部４において出金すべきでないと判断されたリジェクト紙幣は、切替部１５によりリジェクト収納庫１９へ搬送され、第１取込孔１９Ｈ１から取り込まれて第１収納空間１９Ｓ１内に収納される。
【００２９】  続いて紙幣出金機１は、出金額に相当する金種及び枚数の紙幣、すなわち紙幣束Ｗをステージ１６Ｔ上に集積すると、当該ステージ１６Ｔを上昇させ、当該紙幣束Ｗを束搬送路３Ｙ内へ持ち上げる。続いて紙幣出金機１は、上搬送ベルト２１及び下搬送ベルト２４を前方へ走行させると共にラッセル部２５を前方へ移動させることにより、紙幣束Ｗを束搬送路３Ｙに沿って前方へ進行させ、出金口２６まで搬送する。紙幣出金機１は、この段階で出金動作を終了し、利用者に紙幣束Ｗを受け取らせる。
【００３０】  ここで、所定の待機時間以内に出金口２６から紙幣束Ｗが取り出されなかった場合、紙幣出金機１は、利用者が紙幣束Ｗを取り忘れたと判断し、取込動作を開始する。以下、このように利用者が取り忘れた紙幣を取忘紙幣若しくはリトラクト紙幣とも呼ぶ。
【００３１】  具体的に紙幣出金機１は、上搬送ベルト２１及び下搬送ベルト２４を後方へ走行させることにより紙幣束Ｗを束搬送路３Ｙ内に取り込み、さらにラッセル部２５を後方へ走行させることにより、当該紙幣束Ｗを当該束搬送路３Ｙに沿って後方へ進行させていく。やがて紙幣出金機１は、紙幣束Ｗが第２取込孔１９Ｈ２の上方に到達すると、この紙幣束Ｗを束搬送路３Ｙから落下させる。これにより紙幣束Ｗは、第２取込孔１９Ｈ２からリジェクト収納庫１９内に取り込まれ、やがて第２収納空間１９Ｓ２に到達して収納される。
【００３２】  このようにリジェクト収納庫１９は、出金動作において発生したリジェクト紙幣を第１取込孔１９Ｈ１から取り込んで第１収納空間１９Ｓ１に収納すると共に、取込動作において紙幣束Ｗ（すなわち取忘紙幣の束）を第２取込孔１９Ｈ２から取り込んで第２収納空間１９Ｓ２に収納する。
【００３３】［２．リジェクト収納庫の構成］  次に、リジェクト収納庫１９の構成について説明する。リジェクト収納庫１９は、図２Ｂ及び図３Ａに示すように、大きく分けて、主に下側部分を占める収納体３１と、主に上側部分を占める蓋体３２とにより構成されている。
【００３４】［２−１．収納体及び蓋体の基本構成］  筐体の一部としての収納体３１は、図３Ａに示すように、その内部における前側及び後側に、互いに独立した空間でなる第１収納空間１９Ｓ１及び第２収納空間１９Ｓ２がそれぞれ形成されている。第１収納空間１９Ｓ１及び第２収納空間１９Ｓ２は、何れもその上面が開放されており、且つ蓋体３２により外部から閉塞されている。
【００３５】  筐体の一部としての蓋体３２は、リジェクト収納庫１９のうち上下方向における上側の約１／３の部分であって、且つ当該リジェクト収納庫１９の前端近傍を除いた部分を占めている。また蓋体３２は、収納体３１における前上端近傍部分により、回動軸３３を介して回動可能に支持されており、当該回動軸３３を中心として矢印Ｒ１方向（図中の時計回り）又は矢印Ｒ２方向（図中の反時計回り）に回動することができる。
【００３６】  すなわち蓋体３２は、図３Ａに示すように、その下面を収納体３１の上側に重ねて第１収納空間１９Ｓ１及び第２収納空間１９Ｓ２をそれぞれ閉塞した状態、又は図３Ｂに示すように、その下面を収納体３１から大きく引き離して第１収納空間１９Ｓ１及び第２収納空間１９Ｓ２をそれぞれ開放した状態に遷移することができる。以下、それぞれの状態をリジェクト収納庫１９の閉塞状態及び開放状態と呼ぶ。
【００３７】  また収納体３１の後面における上端近傍には、錠３４が設けられている。錠３４は、鍵Ｋ１により、解錠又は施錠されるようになっている。このためリジェクト収納庫１９は、蓋体３２が閉塞状態であるときに鍵Ｋ１により錠３４が施錠されると、この閉塞状態を維持し、当該蓋体３２の開放を抑制する。またリジェクト収納庫１９は、閉塞状態において鍵Ｋ１により錠３４が解錠されると、開放状態への遷移を可能とする。因みに鍵Ｋ１は、例えば金融機関の職員のうち、いわゆるセキュリティレベルが高い役職の者が保有するようになっている。
【００３８】  収納体３１（図３Ａ）の前面における中央よりも上寄りには、上述した第１取込孔１９Ｈ１が形成されている。第１孔部としての第１取込孔１９Ｈ１は、前方から見て左右方向に細長い長方形状に形成されており、収納体３１の内部において第１収納空間１９Ｓ１と連通している。また第１取込孔１９Ｈ１及び第１収納空間１９Ｓ１の間には、図示しない放出機構が組み込まれており、当該第１取込孔１９Ｈ１から取り込まれた紙幣を第１収納空間１９Ｓ１内へ放出するようになっている。さらに、収納体３１における左右の両側面には、後述するポストを上下方向へ移動させるための長孔でなるポスト移動孔３１Ｄが形成されている。
【００３９】  一方、蓋体３２（図３Ａ）の上面における中央よりも前寄りには、上述した第２取込孔１９Ｈ２が形成されている。第２孔部としての第２取込孔１９Ｈ２は、閉塞状態において、上方から見て左右方向に長い長方形状に形成されており、蓋体３２内に形成された案内通路３２Ｓを介して、収納体３１の第２収納空間１９Ｓ２と連通している。この案内通路３２Ｓにおける前側面は、前上側と後下側とを結ぶように傾斜された傾斜面３２Ｌとなっている。このため、第２取込孔１９Ｈ２の上方から落下してきた紙幣束Ｗは、当該第２取込孔１９Ｈ２からリジェクト収納庫１９内に入り込み、傾斜面３２Ｌに沿って後ろ斜め下方へ摺動した後、第２収納空間１９Ｓ２内に到達して収納される。
【００４０】  これを換言すれば、リジェクト収納庫１９は、第１取込孔１９Ｈ１及び第２取込孔１９Ｈ２を互いに異なる面に形成しており、また第１取込孔１９Ｈ１が形成された前面と、第２取込孔１９Ｈ２が形成された上面とを互い隣接させており、さらに互いの法線をほぼ直角をなすように交差させている。
【００４１】  さらに、リジェクト収納庫１９における上面のうち概ね前半部分、すなわち蓋体３２の上面における前側の部分と、収納体３１における当該蓋体３２の前側に位置する部分の上面とには、第２取込孔１９Ｈ２の左右両外側に、前後方向に沿った左溝部１９ＤＬ及び右溝部１９ＤＲがそれぞれ形成されている（図２Ｂ）。
【００４２】［２−２．第１シャッタ部の構成］  収納体３１の前面よりもやや内側には、第１取込孔１９Ｈ１を開放又は閉塞する第１シャッタ部３５が組み込まれている。第１シャッタ部３５は、図４に斜視図を示すように、前面板４１を中心に構成されている。前面板４１は、前後方向に薄く左右方向に長い薄板状に形成されている。この前面板４１における上下方向及び左右方向の長さは、第１取込孔１９Ｈ１（図２Ｂ）における上下方向及び左右方向の長さよりも、それぞれ長くなっている。
【００４３】  前面板４１の左右両端には、後方へ向けて左側板４２及び右側板４３がそれぞれ垂設されている。左側板４２は、前面板４１における下半分に相当する範囲において後方へ延長されており、その左面における後端近傍に、円柱状のポスト４４が左方向に向けて立設されている。このポスト４４は、図２Ｂに示したように、収納体３１に形成されたポスト移動孔３１Ｄを介して、当該収納体３１の外部に突出している。
【００４４】  また左側板４２の後端には、右方向へ向けて垂設された前側板４５が設けられている。さらに前側板４５の上端には、前方向へ向けて支持板４６が垂設されている。支持板４６の下面には、コイルばねでなる第１ばね４７が取り付けられている。第１ばね４７は、粗い螺旋状に巻回されると共に、中心軸を上下方向に向けている。この第１ばね４７は、上下方向に押し縮められると、弾性変形して圧縮されると共に、元の長さに伸張しようとして復元力を作用させる。さらに左側板４２の上側であって、前面板４１の左端における上端近傍には、後方向へ向けて短く突出した第１係合爪４８が形成されている。この第１係合爪４８と左側板４２との間には、隙間４９が形成されている。
【００４５】  因みに右側板４３及びその周囲は、左側板４２及びその周囲と左右対称に構成されている。すなわち第１シャッタ部３５の右側には、左側と左右対称になるように、ポスト４４、前側板４５、支持板４６、第１ばね４７及び第１係合爪４８がそれぞれ設けられ、右側板４３及び第１係合爪４８の間に隙間４９が形成されている。
【００４６】  また、収納体３１の内部には、第１シャッタ部３５の上下方向への移動を許容すると共に前後方向や左右方向への移動を規制するガイド等（図示せず）が組み込まれている。さらに、第１ばね４７の下端は、収納体３１における下端近傍に固定されている。
【００４７】  かかる構成により第１シャッタ部３５は、何ら外力が加えられていない場合、第１ばね４７の作用により、図３Ａに示したように、前面板４１により第１取込孔１９Ｈ１を閉塞した状態（以下これを第１閉塞状態と呼ぶ）となる。また第１シャッタ部３５は、この第１閉塞状態であり、且つ後述する第１ロック解除状態であるときに、下方へ向けて外力が加えられた場合、第１ばね４７を圧縮させながら下方へ移動することにより、第１取込孔１９Ｈ１を開放した状態（以下これを第１開放状態と呼ぶ）となる。
【００４８】［２−３．第２シャッタ部の構成］  蓋体３２の上面よりもやや内側には、第２取込孔１９Ｈ２を開放又は閉塞する第２シャッタ部３６が組み込まれている。第２シャッタ部３６は、図４に斜視図を示すように、上面板５１を中心に構成されている。上面板５１は、上下方向に薄く、左右方向に比較的長い薄板状に形成されている。この上面板５１における前後方向及び左右方向の長さは、第２取込孔１９Ｈ２（図２Ｂ）における前後方向及び左右方向の長さよりも、それぞれ長くなっている。
【００４９】  上面板５１の左右両端には、下方へ向けて左側板５２及び右側板５３がそれぞれ垂設されている。左側板５２は、左右方向に薄く、前後方向の長さが上面板５１と同等であり、上下方向の長さが短い薄板状に形成されている。左側板５２の前端における下端近傍には、前方向に向けて、前後方向に細長い第２係合爪５４が延設されている。また左側板５２の後端には、右方向へ向けて後面板５５が垂設されている。
【００５０】  後面板５５の前面における下端近傍には、コイルばねでなる第２ばね５６が取り付けられている。第２ばね５６は、密な螺旋状に巻回されると共に、中心軸を前後方向に向けている。この第２ばね５６は、前後方向に引っ張られると、弾性変形して伸張すると共に、元の長さに短縮しようとして復元力を作用させる。
【００５１】  因みに右側板５３及びその周囲は、左側板５２及びその周囲と左右対称に構成されている。すなわち第２シャッタ部３６の右側には、左側と左右対称になるように、第２係合爪５４、後面板５５及び第２ばね５６がそれぞれ設けられている。
【００５２】  また、蓋体３２の内部には、第２シャッタ部３６の前後方向への移動を許容すると共に上下方向や左右方向への移動を規制するガイド等（図示せず）が組み込まれている。さらに、第２ばね５６の前端は、蓋体３２における前端近傍に固定されている。
【００５３】  かかる構成により第２シャッタ部３６は、何ら外力が加えられていない場合、第２ばね５６の作用により、図３Ａに示したように、上面板５１によって第２取込孔１９Ｈ２を閉塞した状態（以下これを第２閉塞状態と呼ぶ）となる。また第２シャッタ部３６は、この第２閉塞状態であり、且つ後述する左ロック解除状態及び右ロック解除状態であるときに、後方へ向けて外力が加えられた場合、第２ばね５６を伸張させながら後方へ移動することにより、第２取込孔１９Ｈ２を開放した状態（以下これを第２開放状態と呼ぶ）となる。
【００５４】［２−４．左ロック部の構成］  さらに、第２シャッタ部３６（図３Ａ、図４）における左側板５２の内側には、ロック部の一部としての左ロック部３７が設けられている。左ロック部３７は、分解した斜視図を図５に示すように、左ロックレバー６１を中心に構成されている。
【００５５】  左ロックレバー６１は、例えば金属材料でなり、薄板状の部材が適宜切削され、さらに折り曲げられることにより形成されている。この左ロックレバー６１は、左右方向に薄い板状でなる基板６１Ａを中心に構成されている。
【００５６】  基板６１Ａの後端には、右方向へ向けて後側板６１Ｂが垂設されている。また基板６１Ａの前端には、右方向へ向けて前側板６１Ｃが垂設されている。前側板６１Ｃは、基板６１Ａの下端よりも下方まで延長されることにより、係合突部６１Ｌが形成されている。さらに、基板６１Ａの後端近傍における上下の中央付近には、左右方向に貫通する丸孔でなる回動孔６１Ｈが穿設されている。
【００５７】  第２シャッタ部３６における左側板５２の右面には、短い円柱状の左ロックレバー回動軸６３が右方向へ向けて立設されている。この左ロックレバー回動軸６３には、トーションばねでなる左ロックレバーばね６４の巻回部分及び左ロックレバー６１の回動孔６１Ｈが挿通される。左ロックレバーばね６４は、一端が左ロックレバー６１に引っ掛けられると共に、他端が左側板５２に引っ掛けられる。これにより左ロックレバー６１は、左側板５２に対し、左ロックレバー回動軸６３を中心として矢印Ｒ１方向へ回動するように付勢される。
【００５８】  一方、蓋体３２の内部における左側の所定箇所には、左係合溝６０が形成されている。この左係合溝６０は、第２シャッタ部３６が第２閉塞状態であり（図３Ａ）、且つ左ロックレバー６１が左ロックレバーばね６４の作用により矢印Ｒ１方向へ付勢されたときに、係合突部６１Ｌが入り込んで係合するように、その位置や大きさが調整されている。
【００５９】  このため、図６Ｂに示すように、左ロックレバー６１の係合突部６１Ｌが蓋体３２の左係合溝６０と係合している場合、左ロック部３７が設けられた第２シャッタ部３６は、当該蓋体３２に対し後方向へ移動することができず、第２閉塞状態（図３Ａ）を維持することになる。以下では、図６Ｂに示したように、左ロック部３７において係合突部６１Ｌが左係合溝６０と係合している状態を左ロック状態と呼び、また図６Ａに示すように、左ロック部３７において左ロック状態から左ロックレバー６１が矢印Ｒ２方向へ回動して係合突部６１Ｌが左係合溝６０と係合していない状態を、左ロック解除状態と呼ぶ。
【００６０】  このように左ロック部３７は、左ロックレバー６１が左ロック状態である場合、第２シャッタ部３６を第２閉塞状態に維持する（図６Ｂ）。その一方で左ロック部３７は、左ロックレバー６１が左ロック解除状態になったときに（図６Ａ）、第２シャッタ部３６の第２開放状態への遷移を許容する。
【００６１】［２−５．右ロック部の構成］  第２シャッタ部３６（図３Ａ、図４）における右側板５３の内側には、ロック部の一部としての右ロック部３８が設けられている。右ロック部３８は、分解した斜視図を図７に示すように、右ロックレバー７１を中心に構成されている。
【００６２】  右ロックレバー７１は、基板７１Ａを中心に構成されている。基板７１Ａは、左右方向に薄く、前後方向に長く、上下方向に短い長方形の板状に形成されている。基板７１Ａの前端には、左方向へ向けて前側板７１Ｂが垂設されている。前側板７１Ｂは、基板７１Ａの下端よりも下方まで延長されることにより、係合突部７１Ｌが形成されている。
【００６３】  基板７１Ａにおける上辺の前後方向に関する中央付近には、上方へ向けて上延長板７１Ｃが延設されている。上延長板７１Ｃの上端には、左方向へ向けて上側板７１Ｄが垂設されている。また右ロックレバー７１における基板７１Ａと上延長板７１Ｃとの接合箇所付近には、左右方向に貫通する丸孔でなる回動孔７１Ｈが穿設されている。
【００６４】  第２シャッタ部３６における右側板５３の左面には、短い円柱状の右ロックレバー回動軸７２が右方向へ向けて立設されている。この右ロックレバー回動軸７２には、トーションばねでなる右ロックレバーばね７３の巻回部分及び右ロックレバー７１の回動孔７１Ｈが挿通される。右ロックレバーばね７３は、一端が右ロックレバー７１に引っ掛けられると共に、他端が右側板５３に引っ掛けられる。これにより右ロックレバー７１は、左ロックレバー６１の場合と同様、右側板５３に対し、右ロックレバー回動軸７２を中心として矢印Ｒ１方向へ回動するように付勢される。
【００６５】  一方、蓋体３２の内部における右側の所定箇所には、右係合溝７０が形成されている。この右係合溝７０は、左係合溝６０（図５）の場合と同様、第２シャッタ部３６が第２閉塞状態であり（図３Ａ）、且つ右ロックレバー７１が右ロックレバーばね７３の作用により矢印Ｒ１方向へ付勢されたときに、係合突部７１Ｌが入り込んで係合するように、その位置や大きさが調整されている。
【００６６】  このため、右ロックレバー７１の係合突部７１Ｌが蓋体３２の右係合溝７０と係合している場合、第２シャッタ部３６は、当該蓋体３２に対し後方向へ移動することができず、第２閉塞状態（図３Ａ）を維持することになる。以下、係合突部７１Ｌが右係合溝７０と係合している状態を右ロック状態と呼び、また係合突部７１Ｌが右係合溝７０と係合していない状態を右ロック解除状態と呼ぶ。
【００６７】  さらに右ロック部３８は、右ロックレバー７１の上側板７１Ｄを、右溝部１９ＤＲ（図２Ｂ）のほぼ真下であって、且つ第２シャッタ部３６における上面板５１の下側に位置させている。このため右ロック部３８は、所定形状の部材が、リジェクト収納庫１９の外側から右溝部１９ＤＲを介して上面板５１の下側に挿入され、上側板７１Ｄに対し後方向へ向かう力が加えられると、右ロックレバー７１全体を矢印Ｒ２方向へ回動させ、右ロック状態から右ロック解除状態に遷移させることができる。
【００６８】  このように右ロック部３８は、右ロックレバー７１の係合突部７１Ｌを蓋体３２の右係合溝７０と係合させることで右ロック状態となる一方、右ロックレバー７１を矢印Ｒ２方向へ回動させることで右ロック解除状態に遷移させ得るようになっている。
【００６９】［２−６．各シャッタ部による閉塞状態の維持］  リジェクト収納庫１９は、装填筐体１８に装填されていない場合（図２Ｂ）、第１シャッタ部３５及び第２シャッタ部３６に対し、何ら外力が加えられない。このため第１シャッタ部３５は、第１ばね４７（図４）の作用により、第１取込孔１９Ｈ１を閉塞した第１閉塞状態となる。また第２シャッタ部３６は、第２ばね５６（図４）の作用により、第２取込孔１９Ｈ２を閉塞した第２閉塞状態となる。
【００７０】  このときリジェクト収納庫１９では、図３Ａに示したように、第２シャッタ部３６の第２係合爪５４が第１シャッタ部３５における第１係合爪４８の下側に形成された隙間４９に入り込み、当該第２係合爪５４を当該第１係合爪４８に係合させた状態となる。このため第１シャッタ部３５は、第２シャッタ部３６により下方向への移動が規制され、第１閉塞状態を維持することになる。以下、この状態を第１ロック状態と呼ぶ。
【００７１】  またこのとき左ロック部３７（図５）では、左ロックレバーばね６４の作用により、左ロックレバー６１が係合突部６１Ｌを蓋体３２の左係合溝６０と係合させた左ロック状態となる（図６Ｂ）。さらに右ロック部３８（図７）では、右ロックレバーばね７３の作用により、右ロックレバー７１が係合突部７１Ｌを蓋体３２の右係合溝７０と係合させた右ロック状態となる。このように第２シャッタ部３６は、左ロック部３７及び右ロック部３８により、第２閉塞状態を維持することになる。
【００７２】  このためリジェクト収納庫１９は、第１シャッタ部３５に対し下方に向かう外力が加えられたとしても、第１閉塞状態を維持し、また第２シャッタ部３６に対し後方へ向かう外力が加えられたとしても、第２閉塞状態を維持する。これによりリジェクト収納庫１９は、第１シャッタ部３５及び第２シャッタ部３６が不正に開放され、内部の第１収納空間１９Ｓ１及び第２収納空間１９Ｓ２（図３）に収納している紙幣が不正に取り出されることを防止できる。
【００７３】  ところでリジェクト収納庫１９は、図３に示したように、第１シャッタ部３５が設けられた収納体３１に対し、第２シャッタ部３６が設けられた蓋体３２が回動軸３３を回動中心として回動し得るように構成されている。ここでリジェクト収納庫１９では、第１シャッタ部３５の第１係合爪４８及び第２シャッタ部３６の第２係合爪５４を、回動軸３３の真下若しくはその近傍で係合させており、且つ第２係合爪５４を後方へ引き抜くことでその係合を解除し得るようになっている。
【００７４】  このためリジェクト収納庫１９は、蓋体３２が矢印Ｒ１方向へ回動されて開放状態になると（図３Ｂ）、第２シャッタ部３６の第２係合爪５４を第１シャッタ部３５の隙間４９から引き抜くことになり、第１ロック解除状態とすることができる。またリジェクト収納庫１９は、蓋体３２が矢印Ｒ２方向へ回動されて閉塞状態になると（図３Ａ）、第２シャッタ部３６の第２係合爪５４を第１シャッタ部３５の隙間４９に入り込ませることになり、再び第１ロック状態とすることができる。
【００７５】  すなわちリジェクト収納庫１９は、収納体３１に対し蓋体３２が開放された後、再び閉塞されると、第１ロック状態に戻すことができるので、作業者等に対して当該蓋体３２の開閉に伴い第１係合爪４８及び第２係合爪５４の係合を意識させる必要が無い。
【００７６】［３．装填筐体の構成］  次に、装填筐体１８の構成について説明する。装填筐体１８は、図２Ａに示したように、それぞれ板状の上側板８１、左側板８２、右側板８３、下側板８４及び前側板８５により、後側が開放された装填空間１８Ｓを内部に形成している。
【００７７】  上側板８１は、中央よりも前側となる箇所に、長方形状の孔部８１Ｈが穿設されている。孔部８１Ｈにおける前後方向及び左右方向の長さは、それぞれリジェクト収納庫１９の第２取込孔１９Ｈ２における前後方向及び左右方向の長さと同等以上となっている。上側板８１の下面には、孔部８１Ｈの左右両外側であって、且つ前後方向の中央付近に、開閉体としての左開閉キー８６及び右開閉キー８７がそれぞれ設けられている。
【００７８】  左開閉キー８６は、全体として左右方向に薄い板状に形成されている。左開閉キー８６の前側約１／３〜１／４の範囲を占める支持部８６Ｂは、長方形の板状に形成されており、その上辺が上側板８１の下面に固定されている。左開閉キー８６の後側約２／３〜３／４の範囲を占めるキー部８６Ｋは、全体として前後方向に細長い板状に形成されており、その上辺と上側板８１の下面との間にある程度の隙間を形成している。
【００７９】  右開閉キー８７は、左開閉キー８６と同様、全体として左右方向に薄い板状に形成されている。右開閉キー８７の前側約１／３〜１／４の範囲を占める支持部８７Ｂは、左開閉キー８６の支持部８６Ｂと同様、長方形の板状に形成されており、その上辺が上側板８１の下面に固定されている。右開閉キー８７の後側約２／３〜３／４の範囲を占めるキー部８７Ｋは、全体として前後方向に細長い板状に形成されており、その上辺と上側板８１の下面との間にある程度の隙間を形成している。
【００８０】  左側板８２における前後方向の中央付近であって、上下方向の中央よりもやや下寄りとなる箇所には、左開閉ガイド部８８が設けられている。左開閉ガイド部８８は、図８Ａに拡大した斜視図を示すように、後上側と前下側とを結ぶ斜め方向に沿った孔部８２Ｈが穿設されている。この孔部８２Ｈの周囲には、右方向、すなわち装填空間１８Ｓの中心側へ向けて、開放ガイド体としての開放遷移ガイド板９１及び開放維持ガイド板９２と、閉塞ガイド体としての閉塞遷移ガイド板９３及び閉塞維持ガイド板９４といった４種類の板状部材が立設されている。
【００８１】  開放遷移ガイド板９１は、上後側と前下側とを結ぶ斜め方向に沿った傾斜面を形成している。開放維持ガイド板９２は、その後端を開放遷移ガイド板９１の下端と接続させており、ほぼ水平方向に沿った、すなわちリジェクト収納庫１９の装脱方向である前後方向に沿った平面となっている。
【００８２】  閉塞遷移ガイド板９３は、開放遷移ガイド板９１とほぼ平行な傾斜面を形成しており、当該開放遷移ガイド板９１よりも後下側に位置している。すなわち閉塞遷移ガイド板９３の上端及び下端は、開放遷移ガイド板９１の上端及び下端よりもそれぞれ後下側に位置している。閉塞維持ガイド板９４は、その前端を閉塞遷移ガイド板９３の上端と接続させており、開放維持ガイド板９２と同様に、ほぼ水平方向に沿った（すなわち前後方向に沿った）平面となっている。
【００８３】  因みに左側板８２は、１枚の金属板により構成されている。このため左開閉ガイド部８８の開放遷移ガイド板９１、開放維持ガイド板９２、閉塞遷移ガイド板９３及び閉塞維持ガイド板９４は、この金属板から切り起こされること、すなわち当該金属板に切り込みが入れられ、適宜折り曲げられることによりそれぞれ形成されている。孔部８２Ｈは、その副産物として形成されている。
【００８４】  右側板８３（図２）における前後方向の中央付近であって、上下方向の中央よりもやや下寄りとなる箇所には、右開閉ガイド部８９が設けられている。右開閉ガイド部８９は、図８Ａと対応する図８Ｂに示すように、左開閉ガイド部８８とほぼ左右対称に形成されている。すなわち右開閉ガイド部８９は、孔部８３Ｈの周囲に、左方向に向けて、開放遷移ガイド板９１、開放維持ガイド板９２、閉塞遷移ガイド板９３及び閉塞維持ガイド板９４といった４種類のガイド板が立設されている。
【００８５】  下側板８４（図２）は、平坦な長方形の板状に形成されている。前側板８５は、中央よりも上側となる箇所に、左右方向に長い長方形状の孔部８５Ｈが穿設されている。孔部８５Ｈにおける上下方向及び左右方向の長さは、それぞれリジェクト収納庫１９の第１取込孔１９Ｈ１における上下方向及び左右方向の長さと同等以上となっている。
【００８６】［４．リジェクト収納庫の装填動作及び取外動作］  次に、リジェクト装填機構１７（図１）における装填筐体１８に対するリジェクト収納庫１９の装填動作及び取外動作について、図９〜図１４を用いてそれぞれ説明する。なお図９〜図１４は、何れも左側面図であるものの、説明の都合上、一部の重なる部品を透過させ、また一部の部品を省略している。
【００８７】［４−１．装填動作］  リジェクト収納庫１９（図２Ｂ）は、装填筐体１８から取り出されている場合、上述したように、第１シャッタ部３５及び第２シャッタ部３６をそれぞれ第１閉塞状態及び第２閉塞状態とし、且つ第１シャッタ部３５を第１ロック状態とし、さらに左ロック部３７及び右ロック部３８をそれぞれ左ロック状態及び右ロック状態としている。
【００８８】  このリジェクト収納庫１９は、装填筐体１８に装填される場合、当該装填筐体１８の後ろ側へ運ばれて上下方向及び左右方向の位置が概ね揃えられた後、装填方向としての前方向へ押し込まれることにより、その前端近傍から徐々に装填空間１８Ｓ内へ入り込んでいく。このときリジェクト収納庫１９は、左開閉キー８６の下側部分を左溝部１９ＤＬ内に挿入させ、当該左溝部１９ＤＬの内部で後方へ進行させる。これと並行してリジェクト収納庫１９は、右開閉キー８７の下側部分を右溝部１９ＤＲ内に挿入させ、同様に当該右溝部１９ＤＲの内部で後方へ進行させる。
【００８９】  リジェクト収納庫１９は、引き続き前方向へ押し込まれることにより、図１０に示したように、左開閉キー８６の後端を左ロックレバー６１における後側板６１Ｂの前面６１ＢＦに当接させ、当該左ロックレバー６１の後上側部分に対して矢印Ｒ２方向へ向かう力を作用させる。このとき左ロック部３７は、図１１に示すように、左ロックレバー６１を左ロックレバー回動軸６３を中心として矢印Ｒ２方向へ回動し、係合突部６１Ｌを蓋体３２の左係合溝６０内から上方へ引き抜き、左ロックレバー６１を左ロック状態から左ロック解除状態へ遷移させる。
【００９０】  またリジェクト収納庫１９は、これと並行して、右開閉キー８７（図２）の後端部分を右ロック部３８（図７）の右ロックレバー７１における上側板７１Ｄに当接させ、当該右ロックレバー７１全体に対して矢印Ｒ２方向へ向かう力を作用させる。これにより右ロック部３８は、右ロックレバー７１の係合突部７１Ｌを蓋体３２の右係合溝７０内から上方へ引き抜き、当該右ロックレバー７１を右ロック状態から右ロック解除状態へ遷移させる。
【００９１】  さらにこのときリジェクト収納庫１９は、第２シャッタ部３６の上面板５１における前端５１Ｆを左開閉キー８６の支持部８６Ｂにおける後端部分８６ＢＲ及び右開閉キー８７の支持部８７Ｂにおける後端部分８７ＢＲとそれぞれ当接させる。これによりリジェクト収納庫１９は、左開閉キー８６及び右開閉キー８７から第２シャッタ部３６に対し後方向へ向かう力を作用させることができる。
【００９２】  リジェクト収納庫１９は、引き続き前方向へ挿入されることにより、図１２に示すように、蓋体３２に対し第２シャッタ部３６を後方へ移動させ、第２取込孔１９Ｈ２を徐々に開放させていく。これに加えてリジェクト収納庫１９は、第２係合爪５４を第１シャッタ部３５における第１係合爪４８の下側に形成された隙間４９から後方へ引き抜く。これによりリジェクト収納庫１９は、第１シャッタ部３５の第１ロック状態を解除し、当該第１シャッタ部３５の下方への移動を許容した状態となる（以下これを第１ロック解除状態と呼ぶ）。
【００９３】  またリジェクト収納庫１９は、第１シャッタ部３５の左右に設けられたポスト４４を、装填筐体１８側の左開閉ガイド部８８及び右開閉ガイド部８９にそれぞれ設けられた開放遷移ガイド板９１の後下面に当接させる。このときポスト４４は、第１ばね４７（図４）の作用により上方向へ向かう力が作用するため、開放遷移ガイド板９１の後下面に当接した状態を維持する。
【００９４】  リジェクト収納庫１９は、さらに前方向へ押し込まれることにより、第２シャッタ部３６をさらに後方へ移動させながら、開放遷移ガイド板９１によりポスト４４を介して第１シャッタ部３５に対し下方向へ向かう力を作用させる。このため第１シャッタ部３５は、リジェクト収納庫１９の前進に伴い、ポスト４４を開放遷移ガイド板９１に摺動させながら、ポスト移動孔３１Ｄに沿って下方へ移動し、第１取込孔１９Ｈ１を徐々に開放させていく。
【００９５】  やがてリジェクト収納庫１９は、図１３に示すように、ポスト４４を開放遷移ガイド板９１の下端近傍まで到達させることにより第１取込孔１９Ｈ１を完全に開放し、第１シャッタ部３５を第１開放状態に遷移させる。その後、リジェクト収納庫１９は、その前面が装填筐体１８の前側板８５に当接若しくは極めて近接した位置まで押し込まれる（図１４）。
【００９６】  このときリジェクト収納庫１９は、第１ばね４７（図４）の作用によりポスト４４を開放維持ガイド板９２に摺動させて第１シャッタ部３５を第１開放状態に保ったまま、第２シャッタ部３６を最も後側まで移動させて第２取込孔１９Ｈ２を完全に開放し、当該第２シャッタ部を第２開放状態に遷移させる。
【００９７】  かくしてリジェクト収納庫１９は、装填筐体１８に対して前方へ押し込まれて装填されるだけで、左ロック解除状態、右ロック解除状態及び第１ロック解除状態にそれぞれ遷移させ、第１取込孔１９Ｈ１及び第２取込孔１９Ｈ２をそれぞれ第１開放状態及び第２開放状態に遷移させることができる。紙幣出金機１（図１）は、このようにリジェクト収納庫１９が正しく装填された状態で、上述した出金動作や取込動作を行う。
【００９８】［４−２．取外動作］  リジェクト収納庫１９は、装填筐体１８に装填された状態（図１４）において、当該装填筐体１８から取り外される場合、離脱方向としての後方向へ向かう力が加えられ、後方へ徐々に移動する。これによりリジェクト収納庫１９は、装填動作と反対の順序、すなわち図１４、図１３、図１２、図１１、図１０及び図９の順序となるように、各部をそれぞれ装填時と反対方向へ動作させていく。
【００９９】  このときリジェクト収納庫１９は、まずポスト４４を開放維持ガイド板９２及び開放遷移ガイド板９１に摺動させながら、第１ばね４７（図４）の作用により第１シャッタ部３５を徐々に上昇させ、第１開放状態から第１閉塞状態に遷移させる（図１３、図１２）。
【０１００】  またリジェクト収納庫１９は、第２ばね５６（図４）の作用により、上面板５１の前端５１Ｆを左開閉キー８６の支持部８６Ｂにおける後端部分８６ＢＲ及び右開閉キー８７の支持部８７Ｂにおける後端部分８７ＢＲとそれぞれ当接させたまま、当該第２シャッタ部３６を第２開放状態から徐々に第２閉塞状態に遷移させていく（図１１）。これに伴いリジェクト収納庫１９は、第２シャッタ部３６の第２係合爪５４を第１シャッタ部３５の第１係合爪４８に係合させた第１ロック状態に遷移する。
【０１０１】  リジェクト収納庫１９は、さらに後方へ引き抜かれると、左ロック部３７（図５）において、左開閉キー８６の後端から左ロックレバー６１に対して力が加えられなくなる。このため左ロック部３７では、左ロックレバーばね６４の作用によって左ロックレバー６１が矢印Ｒ１方向へ回動し、係合突部６１Ｌを左係合溝６０に係合させて、当該左ロックレバー６１を左ロック解除状態から左ロック状態へ遷移させる（図１０）。
【０１０２】  また右ロック部３８（図７）では、右開閉キー８７（図２）が前方へ引き抜かれることになる。これにより右ロック部３８では、右ロックレバーばね７３の作用によって右ロックレバー７１が矢印Ｒ１方向へ回動し、係合突部７１Ｌを右係合溝７０に係合させて、当該右ロックレバー７１を右ロック解除状態から右ロック状態へ遷移させる。
【０１０３】  かくしてリジェクト収納庫１９は、装填筐体１８に装填された状態から後方へ引き抜かれるだけで、第１取込孔１９Ｈ１及び第２取込孔１９Ｈ２をそれぞれ第１閉塞状態及び第２閉塞状態に遷移させ、さらに第１ロック状態、左ロック状態及び右ロック状態にそれぞれ遷移させて、当該装填筐体１８から取り外すことができる。
【０１０４】［５．効果等］  以上の構成において、紙幣出金機１のリジェクト収納庫１９は、リジェクト紙幣を取り込む目的で前面に設けられた第１取込孔１９Ｈ１を第１シャッタ部３５により開閉すると共に、取忘紙幣を取り込む目的で上面に設けられた第２取込孔１９Ｈ２を第２シャッタ部３６により開閉するようにした（図２）。
【０１０５】  リジェクト収納庫１９は、第１シャッタ部３５が第１閉塞状態である場合に、第２シャッタ部３６が第２閉塞状態であれば、第２係合爪５４を第１係合爪４８に係合させることにより、当該第１シャッタ部３５を第１閉塞状態に維持する第１ロック状態とすることができる（図３Ａ、図９）。このためリジェクト収納庫１９は、第１シャッタ部３５に専用のロック機構を設ける必要が無く、第２シャッタ部３６の閉塞又は開放に応じて、当該第１シャッタ部３５を第１閉塞状態に維持し、或いは第１閉塞状態から第１開放状態への遷移を許容することができる。
【０１０６】  特にリジェクト収納庫１９は、収納体３１に組み込まれたガイド等により、第１シャッタ部３５が上下方向へのみ移動し前後方向や左右方向に移動せず、また蓋体３２に組み込まれたガイド等により、第２シャッタ部３６が前後方向へのみ移動し上下方向や左右方向に移動しない。換言すれば、両シャッタの移動方向は、互いに直交している。そこでリジェクト収納庫１９は、第１シャッタ部３５と一体に移動する第１係合爪４８と左側板４２又は右側板４３との隙間４９に対し、第２シャッタ部３６と一体に移動する第２係合爪５４の先端部分を入り込ませるようにした（図４、図９）。
【０１０７】  これによりリジェクト収納庫１９は、第１シャッタ部３５を第１閉塞状態とした上で、第２取込孔１９Ｈ２を開閉させる目的で第２シャッタ部３６を前後方向へ移動させるだけで、第１ロック状態又は第１ロック解除状態に容易に遷移できる。このためリジェクト収納庫１９は、互いの移動方向が異なる第２シャッタ部３６及び第１シャッタ部３５を係合させるための複雑な機構を必要とせず、極めて簡素な構成とすることができる。
【０１０８】  またリジェクト収納庫１９は、第１シャッタ部３５を第１ばね４７により上方向へ付勢して積極的に第１閉塞状態に遷移するようにし、第２シャッタ部３６を第２ばね５６により前方向へ付勢して積極的に第２閉塞状態に遷移するようにした。このためリジェクト収納庫１９は、例えば装填筐体１８から取り外される場合など、各シャッタに対する外力が解放された段階で、各シャッタを積極的に閉塞させ、内部に収納された紙幣を保護することができる。
【０１０９】  さらにリジェクト収納庫１９は、第２シャッタ部３６に左ロック部３７及び右ロック部３８を設け、それぞれ左ロック解除状態及び右ロック解除状態に遷移した場合にのみ、当該第２シャッタ部３６を第２閉塞状態から第２開放状態へ遷移させ得るようにした。このためリジェクト収納庫１９は、互いに構造が異なる２種類のロック機構により、第２シャッタ部３６が不正な目的で開放されることを効果的に防止することができる。
【０１１０】  さらに装填筐体１８は、上側板８１の下面に左開閉キー８６及び右開閉キー８７を設けた。このためリジェクト収納庫１９は、装填筐体１８に対し装填されるだけで、左開閉キー８６及び右開閉キー８７により左ロック部３７及び右ロック部３８を左ロック解除状態及び右ロック解除状態にそれぞれ遷移させた上で、第２シャッタ部３６を第２閉塞状態から第２開放状態へ遷移させることができる（図９〜図１４）。
【０１１１】  またリジェクト収納庫１９は、第１シャッタ部３５にポスト４４を設け、これを収納体３１の左右両外側に露出させた。これに応じて装填筐体１８には、左側板８２及び右側板８３に左開閉ガイド部８８及び右開閉ガイド部８９をそれぞれ形成した（図２Ａ、図８）。このためリジェクト収納庫１９は、装填筐体１８に装填されるだけで、ポスト４４を左開閉ガイド部８８及び右開閉ガイド部８９の開放遷移ガイド板９１及び開放維持ガイド板９２に当接及び摺動させ、第１シャッタ部３５を下方へ移動させること、すなわち第１開放状態へ遷移させることができる。
【０１１２】  ところで第１シャッタ部３５は、第１ばね４７（図４）の作用により、常に上方へ付勢されている。このためポスト４４は、リジェクト収納庫１９が装填筐体１８に対しある程度深く挿入された段階（図１２〜図１４）において、原則的には開放遷移ガイド板９１又は開放維持ガイド板９２に当接若しくは摺動することになる。
【０１１３】  しかしながら、例えば第１シャッタ部３５が収納体３１に対し移動途中で引っ掛かった場合など、第１ばね４７（図４）が適切に作用できず、ポスト４４が開放遷移ガイド板９１又は開放維持ガイド板９２に当接若しくは摺動しないおそれがある。このような場合、リジェクト収納庫１９は、第１シャッタ部３５を第１閉塞状態に遷移できないまま装填筐体１８から引き抜かれてしまい、第１収納空間１９Ｓ１内の紙幣が不正に取り出される恐れが生じる。
【０１１４】  この点において装填筐体１８の左開閉ガイド部８８及び右開閉ガイド部８９には、開放遷移ガイド板９１及び開放維持ガイド板９２に加えて、閉塞遷移ガイド板９３及び閉塞維持ガイド板９４を設けた。このためリジェクト収納庫１９は、装填筐体１８から引き抜かれる場合、第１ばね４７が適切に作用できなかったとしても、ポスト４４を閉塞遷移ガイド板９３及び閉塞維持ガイド板９４に当接及び摺動させることにより、第１シャッタ部３５を強制的に閉塞させ、第１閉塞状態とすることができる。
【０１１５】  またリジェクト収納庫１９は、閉塞遷移ガイド板９３及び閉塞維持ガイド板９４とポスト４４との位置関係により、第２シャッタ部３６が第２閉塞状態に遷移する前に、第１シャッタ部３５を第１閉塞状態に遷移させることができる。このためリジェクト収納庫１９は、第１ばね４７が適切に作用できなかった場合であっても、第２シャッタ部３６の第２係合爪５４を第１シャッタ部３５の第１係合爪４８と確実に係合させ、第１ロック状態とすることができる。
【０１１６】  以上の構成によれば、紙幣出金機１のリジェクト収納庫１９は、第１シャッタ部３５が第１閉塞状態である場合に、第２シャッタ部３６が第２閉塞状態であれば、第２係合爪５４を第１係合爪４８に係合させることにより、当該第１シャッタ部３５を第１閉塞状態に維持する第１ロック状態とすることができる。このためリジェクト収納庫１９は、第１シャッタ部３５に専用のロック機構を設ける必要が無く、第２シャッタ部３６の閉塞又は開放に応じて、当該第１シャッタ部３５を第１閉塞状態に維持し、或いは第１閉塞状態から第１開放状態への遷移を許容することができる。
【０１１７】［６．他の実施の形態］  なお上述した実施の形態においては、装填筐体１８に対しリジェクト収納庫１９を装脱する方向である前後方向に移動する第２シャッタ部３６により、これと交差する方向である上下方向に移動する第１シャッタ部３５を第１ロック状態又は第１ロック解除状態とする場合について述べた（図９〜図１４）。しかしながら本発明はこれに限らず、例えば第１シャッタ部３５を前後方向に移動させると共に第２シャッタ部３６を上下方向へ移動させるようにし、この第２シャッタ部３６により第１シャッタ部３５を第１ロック状態又は第１ロック解除状態とするようにしても良い。
【０１１８】  また上述した実施の形態においては、第１シャッタ部３５と一体に上下方向へ移動する第１係合爪４８と、第２シャッタ部３６と一体に前後方向へ移動する第２係合爪５４とを直接係合させることにより、第１ロック状態とする場合について述べた（図３Ａ、図９）。しかしながら本発明はこれに限らず、例えば第１シャッタ部３５と第２シャッタ部３６との間に種々の形状の部品や周知のリンク機構等を介在させ、これらを利用して第１ロック状態とするようにしても良い。
【０１１９】  さらに上述した実施の形態においては、第１シャッタ部３５を上下方向に沿って直線状に移動させる（すなわちスライドさせる）ことにより、第１閉塞状態又は第１開放状態に遷移させる場合について述べた。しかしながら本発明はこれに限らず、例えば図１５Ａ及び図１５Ｂに示すリジェクト収納庫１１９のように、収納体１３１に組み込む第１シャッタ部１３５を、第１取込孔１９Ｈ１からやや離れた箇所に配置された回動軸１４０を中心として矢印Ｒ１方向又はＲ２方向へ回動し得るように、すなわち前面板１４１を円弧状に移動させるようにしても良い。この場合も、第２シャッタ部３６の第２係合爪５４を第１シャッタ部１３５の第１係合爪４８と係合させることにより、第１ロック状態とすることができる。また第１シャッタ部１３５は、ポスト移動孔１３１Ｄから外部に露出させたポスト１４４により、装填筐体１８側からの力を受けて回動することができる。
【０１２０】  或いは、図１６Ａ及び図１６Ｂに示すリジェクト収納庫２１９のように、収納体２３１に組み込む第１シャッタ部２３５を、第１取込孔１９Ｈ１の直近に配置された回動軸２４０を中心として矢印Ｒ１方向又はＲ２方向へ回動し得るように、すなわち前面板２４１の傾斜角度を大きく変更させ得るようにしても良い。この場合、第２シャッタ部３６における第２係合爪５４の前端を第１シャッタ部２３５の上端後面に形成された第１係合箇所２４８に当接若しくは近接させることにより、第１ロック状態とすることができる。また第１シャッタ部２３５は、ポスト移動孔２３１Ｄから外部に露出させたポスト２４４により、装填筐体１８側からの力を受けて回動することができる。
【０１２１】  このように、第１取込孔１９Ｈ１を開閉する第１シャッタ部３５については、直線状の移動に限らず、円弧状の移動や回動等、種々の手法により第１閉塞状態と第１開放状態とを遷移するようにしても良い。第２取込孔１９Ｈ２を開閉する第２シャッタ部３６についても同様である。要は、第１シャッタ部３５により第１取込孔１９Ｈ１を開閉すると共に第２シャッタ部３６により第２取込孔１９Ｈ２を開閉でき、第１閉塞状態において第２シャッタ部３６の開閉に応じて、第１ロック解除状態又は第１ロック状態に遷移できれば良い。
【０１２２】  さらに上述した実施の形態においては、第２シャッタ部３６に左ロック部３７及び右ロック部３８といった互いに異なる２種類のロック機構を設ける場合について述べた（図５、図７）。しかしながら本発明はこれに限らず、例えば第２シャッタ部３６に１種類又は３種類以上のロック機構を設けても良く、またその種類を同一若しくは互いに異なるものとしても良い。或いは、第２シャッタ部３６からロック機構を省略しても良い。
【０１２３】  さらに上述した実施の形態においては、装填筐体１８の上側板８１に左開閉キー８６及び右開閉キー８７を設け、リジェクト収納庫１９が当該装填筐体１８に装填されるだけで左ロック部３７及び右ロック部３８をそれぞれ左ロック解除状態及び右ロック解除状態に遷移させる場合について述べた（図９〜図１４）。しかしながら本発明はこれに限らず、例えば左開閉キー８６及び右開閉キー８７省略し、リジェクト収納庫１９が装填筐体１８に装填される前若しくは装填された後に、作業者に所定のロック解除操作を行わせることにより、左ロック部３７及び右ロック部３８をそれぞれ左ロック解除状態及び右ロック解除状態に遷移させても良い。この場合、さらに作業者の操作により、第２シャッタ部３６及び第１シャッタ部３５をそれぞれ第２開放状態及び第１開放状態に遷移させれば良い。
【０１２４】  さらに上述した実施の形態においては、左ロック部３７（図５）において、左ロックレバー６１を左ロックレバーばね６４により付勢することにより、第２シャッタ部３６が前方へ移動して第２開放状態から第２閉塞状態へ遷移したときに、当該左ロックレバー６１を自動的に左ロック解除状態から左ロック状態に遷移させる場合について述べた。しかしながら本発明はこれに限らず、例えば左ロックレバーばね６４を省略し、作業者に所定の左ロック操作をさせることにより、左ロックレバー６１を左ロック状態に遷移させるようにしても良い。セキュリティギア６２及び右ロック部３８の右ロックレバー７１についても同様である。
【０１２５】  さらに上述した実施の形態においては、左ロック部３７及び右ロック部３８を第２シャッタ部３６側に設ける場合について述べた（図４）。しかしながら本発明はこれに限らず、例えば左ロック部３７及び右ロック部３８を蓋体３２側に設けても良い。
【０１２６】  さらに上述した実施の形態においては、コイルばねでなる第１ばね４７により第１シャッタ部３５を上方向、すなわち第１取込孔１９Ｈ１を閉塞する方向に付勢する場合について述べた（図４）。しかしながら本発明はこれに限らず、例えば板ばねやゴム状の材料等、種々の付勢部材により第１シャッタ部３５を付勢しても良く、また当該第１シャッタ部３５を下方向、すなわち第１取込孔１９Ｈ１を開放する方向に付勢しても良く、さらには第１ばね４７を省略しても良い。この場合、リジェクト収納庫１９が装填筐体１８から引き出されるときに第１シャッタ部３５を上方向へ持ち上げるための部品や機構を当該装填筐体１８側等に組み込めば良い。第２シャッタ部３６及び第２ばね５６についても同様である。
【０１２７】  さらに上述した実施の形態においては、リジェクト収納庫１９を収納体３１及び蓋体３２により構成し、当該収納体３１に対し当該蓋体３２を回動させることにより第１収納空間１９Ｓ１及び第２収納空間１９Ｓ２を開放して、収納されている紙幣を回収させる場合について述べた（図３）。しかしながら本発明はこれに限らず、例えば収納体３１及び蓋体３２を一体化して開閉し得ないような構成としても良い。この場合、例えば第１取込孔１９Ｈ１及び第２取込孔１９Ｈ２を比較的大きく形成しておき、第１シャッタ部３５及び第２シャッタ部３６を手動で開放させることにより、内部に収納された紙幣を取り出させるようにすれば良い。
【０１２８】  さらに上述した実施の形態においては、収納体３１内に互いに独立した第１収納空間１９Ｓ１及び第２収納空間１９Ｓ２を設け、第１取込孔１９Ｈ１から取り込んだリジェクト紙幣と第２取込孔１９Ｈ２から取り込んだ取忘紙幣とを分けて収納する場合について述べた（図３Ａ）。しかしながら本発明はこれに限らず、例えば収納体３１内に単一の収納空間を形成し、リジェクト紙幣と取忘紙幣とを混在させるようにしても良い。この場合、例えば鑑別部１４（図１）により各紙幣の記番号を読み取ると共に、リジェクト紙幣及び取忘紙幣それぞれの記番号を記憶しておき、回収時にこの記番号を基に両者を分別すれば良い。
【０１２９】  さらに上述した実施の形態においては、装填筐体１８の左開閉ガイド部８８及び右開閉ガイド部８９において、開放遷移ガイド板９１及び開放維持ガイド板９２に加えて閉塞遷移ガイド板９３及び閉塞維持ガイド板９４を設ける場合について述べた（図８）。しかしながら本発明はこれに限らず、例えば第１ばね４７による弾性力が比較的強い場合などに、閉塞遷移ガイド板９３及び閉塞維持ガイド板９４を省略しても良い。また開放遷移ガイド板９１等は、装填筐体１８の左側板８２等の一部が切り起こされた構成に限らず、例えば樹脂材料により成型された他の部品等を左側板８２に取り付けた構成としても良い。
【０１３０】  さらに上述した実施の形態においては、リジェクト収納庫１９における互いに異なる２つの面にそれぞれ取込孔（第１取込孔１９Ｈ１及び第２取込孔１９Ｈ２）を設け、これらを２個のシャッタ（第１シャッタ部３５及び第２シャッタ部３６）によりそれぞれ開閉する場合について述べた。しかしながら本発明はこれに限らず、例えばリジェクト収納庫１９に３箇所以上の取込孔を設け、それぞれを互いに異なるシャッタにより開閉しても良い。この場合、少なくとも１個のシャッタにより他のシャッタを閉塞状態に維持することができれば良い。
【０１３１】  さらに上述した実施の形態においては、リジェクト収納庫１９により、１枚ずつに分離された状態のリジェクト紙幣を第１取込孔１９Ｈ１から取り込み、また紙幣束の状態となった取忘紙幣を第２取込孔１９Ｈ２から取り込む場合について述べた。しかしながら本発明はこれに限らず、例えば束ねられた状態の第１取込孔１９Ｈ１から取り込んでも良く、また１枚ずつに分離された状態の紙幣を第２取込孔１９Ｈ２から取り込んでも良い。
【０１３２】  さらに上述した実施の形態においては、紙葉状の媒体である紙幣を集積して出金する紙幣出金機１において、リジェクト紙幣及び取忘紙幣を収納するリジェクト収納庫１９に本発明を適用する場合について述べた。しかしながら本発明はこれに限らず、種々の形状でなる種々の媒体を、互いに異なる側面に形成された２箇所以上の取込孔から取り込んで収納する媒体収納装置に適用しても良い。さらには、外部から取込孔を介して媒体を取り込む場合に限らず、一部若しくは全部の取込孔から、媒体を繰り出すようにしても良い。
【０１３３】  さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【０１３４】  さらに上述した実施の形態においては、筐体としての収納体３１及び蓋体３２と、第１孔部としての第１取込孔１９Ｈ１と、第２孔部としての第２取込孔１９Ｈ２と、第１シャッタとしての第１シャッタ部３５と、第２シャッタとしての第２シャッタ部３６とによって媒体収納装置としてのリジェクト収納庫１９を構成する場合について述べた。しかしながら本発明はこれに限らず、その他種々の構成でなる筐体と、第１孔部と、第２孔部と、第１シャッタと、第２シャッタとによって媒体収納装置を構成しても良い。
【０１３５】  さらに上述した実施の形態においては、搬送部としての搬送部１３と、鑑別部としての鑑別部１４と、集積部としての集積部１６と、束搬送部としての束搬送ユニット３と、リジェクト収納庫としてのリジェクト収納庫１９とによって媒体処理装置としての紙幣出金機１を構成し、当該リジェクト収納庫を、筐体としての収納体３１及び蓋体３２と、第１孔部としての第１取込孔１９Ｈ１と、第２孔部としての第２取込孔１９Ｈ２と、第１シャッタとしての第１シャッタ部３５と、第２シャッタとしての第２シャッタ部３６とによって構成する場合について述べた。しかしながら本発明はこれに限らず、その他種々の構成でなる搬送部と、鑑別部と、集積部と、束搬送部と、リジェクト収納庫とによって媒体処理装置を構成し、当該リジェクト収納庫を、筐体と、第１孔部と、第２孔部と、第１シャッタと、第２シャッタとにより構成しても良い。
【産業上の利用可能性】
【０１３６】  本発明は、例えば利用者の操作に応じて紙幣を束状に集積して出金する紙幣出金機でも利用できる。
【図１】
2017104003.tif 000003
【図２Ａ】
2017104003.tif 000004
【図２Ｂ】
2017104003.tif 000005
【図３Ａ】
2017104003.tif 000006
【図３Ｂ】
2017104003.tif 000007
【図４】
2017104003.tif 000008
【図５】
2017104003.tif 000009
【図６Ａ】
2017104003.tif 000010
【図６Ｂ】
2017104003.tif 000011
【図７】
2017104003.tif 000012
【図８Ａ】
2017104003.tif 000013
【図８Ｂ】
2017104003.tif 000014
【図９】
2017104003.tif 000015
【図１０】
2017104003.tif 000016
【図１１】
2017104003.tif 000017
【図１２】
2017104003.tif 000018
【図１３】
2017104003.tif 000019
【図１４】
2017104003.tif 000020
【図１５Ａ】
2017104003.tif 000021
【図１５Ｂ】
2017104003.tif 000022
【図１６Ａ】
2017104003.tif 000023
【図１６Ｂ】
2017104003.tif 000024
【国際調査報告】
2017104003.tif 000025
2017104003.tif 000026
2017104003.tif 000027
2017104003.tif 000028